【手続補正書】
【提出日】平成20年5月8日(2008.5.8)
【手続補正１】
【補正対象書類名】特許請求の範囲
【補正対象項目名】全文
【補正方法】変更
【補正の内容】
【特許請求の範囲】
【請求項１】
光を発生するランプと、
前記ランプから発生された光の経路をガイドするための導光板と、
前記ランプの端部にのみ配置されてランプの端部にのみ結合され、前記ランプの端部一部を露出して前記導光板と向かい合う面に形成された開口部を有するランプホルダーと、
前記ランプを保持する前記ランプホルダーを収納し、前記ランプから発生する光を前記導光板に反射するランプカバーと、
前記導光板を収納する収納容器と、を含むバックライトアセンブリ。
【請求項２】
前記ランプは、蛍光層が形成された領域に対応して光を出射することを特徴とする請求項１記載のバックライトアセンブリ。
【請求項３】
前記ランプは、内面に形成される蛍光層を更に含むことを特徴とする請求項１記載のバックライトアセンブリ。
【請求項４】
前記ランプホルダーの前記開口部は、前記ランプの前記蛍光層が形成された領域を露出することを特徴とする請求項３記載のバックライトアセンブリ。
【請求項５】
前記開口部は、前記ランプの長手方向に沿って第１開口幅を有し、前記ランプの長手方向に垂直な方向に沿って第２開口幅を有することを特徴とする請求項３記載のバックライトアセンブリ。
【請求項６】
前記第１開口幅は、少なくとも前記ランプの前記蛍光層が形成された領域が露出されるように形成されることを特徴とする請求項５記載のバックライトアセンブリ。
【請求項７】
前記第２開口幅は、前記ランプの直径より小さく形成されることを特徴とする請求項５記載のバックライトアセンブリ。
【請求項８】
前記第２開口幅は、前記ランプの直径に対して１０％〜９０％の範囲を有することを特徴とする請求項７記載のバックライトアセンブリ。
【請求項９】
前記第２開口幅は、０．４ｍｍ〜１．８ｍｍの範囲を有することを特徴とする請求項７記載のバックライトアセンブリ。
【請求項１０】
前記ランプの直径は２ｍｍで、前記第１開口幅は２ｍｍで、前記第２開口幅は１．２ｍｍであることを特徴とする請求項５記載のバックライトアセンブリ。
【請求項１１】
前記導光板は、前記ランプと向かい合う面から反対面に行くほど厚さが薄くなることを特徴とする請求項１記載のバックライトアセンブリ。
【請求項１２】
前記導光板の下部に配置される反射シートと、
前記導光板の上部に配置される集光シートと、を更に含むことを特徴とする請求項１記載のバックライトアセンブリ。
【請求項１３】
前記収納容器の背面から前記ランプカバーの底面と接するように結合され、前記ランプから発生される熱を放出するバックカバーを更に含むことを特徴とする請求項１２記載のバックライトアセンブリ。
【請求項１４】
光を発生するランプ、前記ランプから発生された光の経路をガイドするための導光板、前記ランプの端部にのみ配置されて前記ランプの端部にのみ結合され前記ランプの端部の一部を露出し前記導光板と向かい合う面に形成された開口部を有するランプホルダー、前記ランプとランプホルダーを収納するランプカバー、及び前記導光板を収納する収納容器を含むバックライトアセンブリと、
前記バックライトアセンブリから供給される光を用いて画像を表示する液晶表示パネルと、
前記収納容器の背面に配置され、前記ランプに駆動電圧を供給するインバータと、を含む液晶表示装置。
【請求項１５】
前記ランプは、内面に形成された蛍光層に対応して光を出射することを特徴とする請求項１４記載の液晶表示装置。
【請求項１６】
前記ランプホルダーの前記開口部は、前記ランプの蛍光層が形成された領域に対応して形成されることを特徴とする請求項１５記載の液晶表示装置。
【請求項１７】
前記開口部は、前記ランプの長手方向に沿って第１開口幅を有し、前記ランプの長手方向に垂直な方向に沿って第２開口幅を有することを特徴とする請求項１５記載の液晶表示装置。
【請求項１８】
前記第１開口幅は、少なくとも前記ランプの前記蛍光層が形成された領域が露出されるように形成されることを特徴とする請求項１７記載の液晶表示装置。
【請求項１９】
前記第２開口幅は、前記ランプの直径より小さく形成されることを特徴とする請求項１７記載の液晶表示装置。
【請求項２０】
前記第２開口幅は、前記ランプの直径に対して１０％〜９０％の範囲を有することを特徴とする請求項１９記載の液晶表示装置。
【請求項２１】
前記バックライトアセンブリは、
前記導光板の下部に配置される反射シートと、
前記導光板の上部に配置される集光シートと、を更に含むことを特徴とする請求項１４記載の液晶表示装置。
【請求項２２】
前記液晶表示パネルを前記バックライトアセンブリに固定する固定部材を更に含むことを特徴とする請求項１４記載の液晶表示装置。
【請求項２３】
第１端部、第２端部、前記第１端部と前記第２端部とを連結する第１側面、前記第１端部から前記第２端部に延長されランプの第１端部を収納する挿入口、及び前記挿入口から前記第１側面に延長された開口部を含み、前記ランプの第１端部にのみ配置されて前記ランプの第１端部のみを支持する第１ランプホルダーを含み、前記第１幅は前記挿入口の長さより小さいことを特徴とするランプユニット。
【請求項２４】
前記挿入口に第１端部が挿入されたランプを更に含み、前記開口部はランプの長軸方向に沿って第１幅を有し、前記長軸に垂直な方向に沿って前記ランプの直径より小さい第２幅を有することを特徴とする請求項２３記載のランプユニット。
【請求項２５】
前記開口部は、前記第１ランプホルダーの前記第１端部に沿って延長されることを特徴とする請求項２４記載のランプユニット。
【請求項２６】
前記第１ランプホルダーの上面、下面、及び第２側面をカバーし、前記第１ランプホルダーの前記第１側面は露出させるランプカバーを更に含むことを特徴とする請求項２３記載のランプユニット。
【請求項２７】
前記ランプの第１端部の反対側端部である第２端部を収納する第２ランプホルダーを更に含み、前記第２ランプホルダーは、第１端部、第２端部、前記第１端部と前記第２端部とを連結する第１側面、前記第１端部から前記第２端部に延長されランプの第１端部を収納する挿入口、及び前記挿入口から前記第１側面に延長された開口部を含み、前記ランプカバーは、少なくとも前記第１ランプホルダーの前記第１端部から前記第２ランプホルダーの前記第１端部まで延長されることを特徴とする請求項２６記載のランプユニット。
【請求項２８】
前記ランプカバーは、前記第１ランプホルダーの前記第２端部から前記第２ランプホルダーの前記第２端部まで延長され、前記ランプカバーの内側面には反射コーティングが形成されたことを特徴とする請求項２７記載のランプユニット。
【請求項２９】
前記挿入口に第１端部が挿入されたランプを更に含み、前記ランプは蛍光層を含んでおり、前記第１ランプホルダーの前記開口部は前記第１端部から前記ランプの蛍光層の端部まで延長されたことを特徴とする請求項２３記載のランプユニット。
【手続補正２】
【補正対象書類名】明細書
【補正対象項目名】０００９
【補正方法】変更
【補正の内容】
【０００９】
前記ランプは、光を発生する。前記導光板は、前記ランプから発生された光の経路をガイドする。前記ランプホルダーは前記ランプの端部にのみ配置されてランプの端部にのみ結合され、前記ランプの端部一部を露出して前記導光板と向かい合う面に形成された開口部を有する。前記ランプカバーは、前記ランプを保持するランプホルダーを収納し、前記ランプから発生する光を前記導光板に反射する。前記収納容器は、前記導光板を収納する。
【手続補正３】
【補正対象書類名】明細書
【補正対象項目名】００１１
【補正方法】変更
【補正の内容】
【００１１】
前記ランプホルダーの前記開口部は、前記ランプの前記蛍光層が形成された領域を露出する。
【手続補正４】
【補正対象書類名】明細書
【補正対象項目名】００１３
【補正方法】変更
【補正の内容】
【００１３】
前記バックライトアセンブリは、光を発生するランプ、前記ランプから発生された光の経路をガイドするための導光板、前記ランプの端部にのみ配置されてランプの端部にのみ結合され、前記ランプの端部一部を露出して前記導光板と向かい合う面に形成された開口部を有するランプホルダー、前記ランプとランプホルダーを収納するランプカバー、及び前記導光板を収納する収納容器を含む。